(57)【要約】【課題】モニタに表示された被写体像を確認しながら手動操作にてフォーカス処理を行うときに、モニタに表示されている被写体の画像の複数の領域を、同時に拡大して表示させる撮像装置と撮像方法並びに撮像プログラムを得る。【解決手段】  撮像レンズを介して取得された被写体像に応じた画像信号を出力する撮像素子と、画像信号に応じた被写体画像を表示する表示手段と、画像信号を表示手段が表示可能な画像データ形式に変換する画像処理手段と、被写体画像に含まれる画像領域のうち拡大表示される領域を特定するための複数の異なる位置情報が記憶される記憶手段と、を備え、画像処理手段が、記憶手段に記憶されている位置情報に基づいて、表示手段に表示される被写体画像に含まれる複数の領域それぞれの拡大画像を生成する拡大画像生成手段と、複数の拡大画像を同時に、表示手段に表示させる拡大表示手段と、を有する撮像装置による。【選択図】図６
2012186670.tif 000002
【特許請求の範囲】
【請求項１】
撮像レンズを介して取得された被写体像に応じた画像信号を出力する撮像素子と、
上記画像信号に応じた被写体画像を表示する表示手段と、
上記画像信号を、上記表示手段が表示可能な画像データ形式に変換する画像処理手段と、
上記被写体画像に含まれる画像領域のうち拡大表示される領域を特定するための複数の異なる位置情報が記憶される記憶手段と、を備えた撮像装置であって、
上記画像処理手段は、
上記記憶手段に記憶されている位置情報に基づいて、上記表示手段に表示される上記被写体画像に含まれる複数の領域それぞれの拡大画像を生成する拡大画像生成手段と、
上記複数の拡大画像を同時に、上記表示手段に表示させる拡大表示手段と、を有することを特徴とする撮像装置。
【請求項２】
上記拡大表示手段は、
上記被写体画像と上記拡大画像とを同時に表示する、
請求項１記載の撮像装置。
【請求項３】
上記拡大表示手段は、上記被写体画像が視認可能となるように上記拡大画像と上記被写体画像とを重ねた態様で表示させる、
請求項１記載の撮像装置。
【請求項４】
上記位置情報は、上記被写体画像に対するパターン情報である、
請求項１記載の撮像装置。
【請求項５】
上記位置情報を設定させる拡大表示位置設定画面を上記表示手段に表示させる設定画面表示手段と、
上記拡大表示位置設定画面が上記表示手段に表示されているときに操作される操作手段と、
をさらに備え、
上記位置情報は、上記拡大表示位置設定画面が上記表示手段に表示されているときの上記操作手段の操作に応じて決定されて、上記記憶手段に記憶される、
請求項１記載の撮像装置。
【請求項６】
上記拡大表示位置設定画面には、複数の設定領域が含まれていて、
上記記憶手段には、上記複数の領域ごとの位置情報が記憶される、
請求項５記載の撮像装置。
【請求項７】
上記複数の設定領域のそれぞれは、上記表示手段の表示領域に含まれる複数の個別表示領域のそれぞれに対応する、
請求項６記載の撮像装置。
【請求項８】
上記撮像画像における上記拡大画像の位置を示すレイアウト情報を上記表示手段に表示させるレイアウト表示手段、
を備えた請求項１記載の撮像装置。
【請求項９】
撮像レンズを介して取得された被写体像に応じた画像信号を出力する撮像素子と、
上記画像信号に応じた被写体画像を表示する表示手段と、
上記画像信号を、上記表示手段が表示可能な画像データ形式に変換する画像処理手段と、
上記被写体画像に含まれる画像領域のうち拡大表示される領域を特定するための複数の異なる位置情報が記憶される記憶手段と、を備えた撮像装置を、
請求項１乃至１０のいずれかに記載の撮像装置として機能させることを特徴とする撮像プログラム。
【請求項１０】
撮像レンズを介して取得された被写体像に応じた画像信号を出力する撮像素子と、
上記画像信号に応じた被写体画像を表示する表示手段と、
上記画像信号を、上記表示手段が表示可能な画像データ形式に変換する画像処理手段と、
上記被写体画像に含まれる画像領域のうち拡大表示される領域を特定するための複数の異なる位置情報が記憶される記憶手段と、を備えた撮像装置において実行される撮像方法であって、
上記記憶手段に記憶されている位置情報を読み出すステップと、
上記読み出した位置情報に基づいて、上記表示手段に表示される上記被写体画像に含まれる複数の領域それぞれの拡大画像を生成するステップと、
上記複数の拡大画像を同時に、上記表示手段に表示するステップと、を有することを特徴と撮像方法。
【発明の詳細な説明】
【技術分野】
【０００１】
本発明は、モニタに表示された被写体像を確認しながら手動操作にてフォーカス処理を行うときに、モニタに表示されている被写体の画像の複数の領域を、同時に拡大して表示させる撮像装置と撮像方法並びに撮像プログラムに関するものである。
【背景技術】
【０００２】
手動でフォーカスレンズを駆動し、被写体にピントを合わせるフォーカス処理を行う撮影モード（以下「マニュアルモード」という。）を備えるデジタルスチルカメラ（以下「撮像装置」という。）が知られている。このような撮像装置は、被写体へのピントが合っているか否かを視認可能にする表示手段を備えている。
【０００３】
例えば一眼レフタイプの撮像装置が備える表示手段は、撮像光学系を介して取得した被写体の画像を、目視可能に表示する光学ファインダである。一方、いわゆるコンパクトタイプの撮像装置が備える表示手段は、光学ファインダではなく、撮像装置の背面に配置される液晶モニタである。
【０００４】
コンパクトタイプの撮像装置を用いてマニュアルモードによる撮影を行うときは、液晶モニタに表示された被写体画像を視認しながら、フォーカスレンズを駆動させて、ピントを合わせる調整操作（フォーカス調整）を行うことになる。液晶モニタに表示される画像は、撮影視野全体の画像になるので、被写体像の特定部分にピントを合わせたいときには、合焦状況の判断が困難となる場合があった。
【０００５】
このような課題を解決するものとして、撮影視野の一部を拡大して液晶モニタに表示する機能を有する撮像装置が知られている（例えば「特許文献１」を参照）。特許文献１記載の撮像装置は、拡大したい箇所を手動で指定することができ、指定された箇所を中心とした拡大画像を表示する。これによって、全体画像の一部の合焦状態を視認しやすくすることができる。しかし、拡大したい箇所を指定する操作を行っている途中でシャッターチャンスが到来したときは、そのシャッターチャンスを逃すことになる。特に、一部を拡大表示させてみたものの、その部分に合焦させるのではなく、その他の部分に合焦させたいと判断したときは、その他の部分を拡大表示させる操作と処理を要するので、素早い撮像操作を行うことができない。
【０００６】
そこで、シャッターチャンスを逃すことなく、拡大表示をする部分を素早く指定することができる撮像装置として、撮影視野の全体画像に対する撮影者の視線を特定し、その視線によって撮影者が見ている箇所を拡大表示する撮像装置が知られている（例えば「特許文献２」を参照）。しかし、特許文献２記載の撮像装置は、撮影者の眼球運動を感知するセンサー等が必要であり、また、センサーが検出された情報による視線の特定処理を行う構成も必要である。これらの構成を備えることができる撮像装置は、コンパクトタイプではなく、一眼レフタイプである。そのため、撮像装置が大型になり、製造コストも増大する。
【発明の概要】
【発明が解決しようとする課題】
【０００７】
本発明は上記の課題に鑑みてなされたものであって、光学ファインダを持たないコンパクトタイプの撮像装置であっても、液晶モニタ内の複数の位置において、被写体画像を同時に拡大表示させることができ、刻々変化する拡大位置変更の要望に対応しつつ、マニュアルフォーカスのピント調整を素早く容易に行うことができる撮像装置と撮像方法並びに撮像プログラムを提供することを目的とする。
【課題を解決するための手段】
【０００８】
本発明に係る撮像装置は、撮像レンズを介して取得された被写体像に応じた画像信号を出力する撮像素子と、画像信号に応じた被写体画像を表示する表示手段と、画像信号を表示手段が表示可能な画像データ形式に変換する画像処理手段と、被写体画像に含まれる画像領域のうち拡大表示される領域を特定するための複数の異なる位置情報が記憶される記憶手段と、を備えた撮像装置であって、画像処理手段は、記憶手段に記憶されている位置情報に基づいて、表示手段に表示される被写体画像に含まれる複数の領域それぞれの拡大画像を生成する拡大画像生成手段と、複数の拡大画像を同時に、表示手段に表示させる拡大表示手段と、有することを最も主要な特徴とする。
【０００９】
また本発明は、上記の撮像装置に係るものであって、拡大表示手段は、被写体画像と拡大画像を同時に表示する、ことを特徴とする。
【００１０】
また本発明は、上記の撮像装置に係るものであって、拡大表示手段は、被写体画像が視認可能となるように拡大画像と被写体画像とを重ねた態様で表示させる、を有することを特徴とする。
【００１１】
また本発明は、上記の撮像装置に係るものであって、位置情報は、被写体画像に対するパターン情報である、を有することを特徴とする。
【００１２】
また本発明は、上記の撮像装置に係るものであって、位置情報を設定させる拡大表示位置設定画面を表示手段に表示させる設定画面表示手段と、  拡大表示位置設定画面が表示手段に表示されているときに操作される操作手段と、を備え、位置情報は、拡大表示位置設定画面が表示手段に表示されているときの操作手段の操作に応じて決定されて、記憶手段に記憶される、を有することを特徴とする。
【００１３】
また本発明は、上記の撮像装置に係るものであって、拡大表示位置設定画面には、複数の設定領域が含まれていて、記憶手段には、複数の領域ごとの位置情報が記憶される、を有することを特徴とする。
【００１４】
また本発明は、上記の撮像装置に係るものであって、複数の設定領域のそれぞれは、表示手段の表示領域に含まれる複数の個別表示領域のそれぞれに対応する、を有することを特徴とする。
【００１５】
また本発明は、上記の撮像装置に係るものであって、撮像画像における拡大画像の位置を示すレイアウト情報を表示手段に表示させるレイアウト表示手段、を有することを特徴とする。
【００１６】
また本発明は、撮像レンズを介して取得された被写体像に応じた画像信号を出力する撮像素子と、被写体像に係る被写体画像が表示される表示手段と、撮像素子から出力された画像信号を表示手段が表示可能な形式の画像データからなる被写体画像に変換する画像処理手段と、表示手段に表示された被写体画像の一部の領域を拡大する拡大画像を表示手段に表示させる拡大表示手段と、を備えた撮像装置において実行される撮像方法であって、撮像レンズを介して取得された被写体像に係る被写体画像を表示手段に表示させるステップと、被写体画像の一部の領域を拡大する拡大画像を生成するステップと、生成された拡大画像を表示手段に表示させるステップと、を有することを特徴とする。
【００１７】
また本発明は、撮像プログラムに関するものであって、撮像レンズを介して取得された被写体像に応じた画像信号を出力する撮像素子と、記画像信号に応じた被写体画像を表示する表示手段と、画像信号を表示手段が表示可能な画像データ形式に変換する画像処理手段と、被写体画像に含まれる画像領域のうち拡大表示される領域を特定するための複数の異なる位置情報が記憶される記憶手段と、を備えた撮像装置を、上記のいずれかに記載の撮像装置として機能させることを特徴とする。
【００１８】
また本発明は、撮像レンズを介して取得された被写体像に応じた画像信号を出力する撮像素子と、画像信号に応じた被写体画像を表示する表示手段と、画像信号を、表示手段が表示可能な画像データ形式に変換する画像処理手段と、被写体画像に含まれる画像領域のうち拡大表示される領域を特定するための複数の異なる位置情報が記憶される記憶手段と、を備えた撮像装置において実行される撮像方法であって、記憶手段に記憶されている位置情報を読み出すステップと、読み出した位置情報に基づいて、表示手段に表示される被写体画像に含まれる複数の領域それぞれの拡大画像を生成するステップと、複数の拡大画像を同時に、表示手段に表示するステップと、を有することを特徴とする。
【発明の効果】
【００１９】
本発明によれば、マニュアルフォーカス撮影時にピントを詳細に確認したい位置が刻々変化するような場合でも、シャッターチャンスを逃すことなく、ピント調整を素早く容易に行うことができる。また、これまでの撮像装置に特別なデバイスや機構を持たせることなく、マニュアルフォーカスにおける操作性を改善することができる。 
【図面の簡単な説明】
【００２０】
【図１】本発明に係る撮像装置であるカメラの例を示す正面図である。
【図２】本発明に係る撮像装置であるカメラの例を示す上面図である。
【図３】本発明に係る撮像装置であるカメラの例を示す背面図である。
【図４】撮像装置の電気的制御系統の例を示す機能ブロック図である。
【図５】撮像装置における拡大設定処理の例を示すフローチャートである。
【図６】拡大設定処理において上記カメラのモニタに表示される画面の例を示す模式図である。
【図７】拡大設定処理において上記モニタに表示される画面の例を示す模式図である。
【図８】拡大設定処理において上記モニタに表示される画面の例を示す模式図である。
【図９】撮像装置における拡大条件選択画面の例を示す模式図である。
【図１０】撮像装置における撮像処理の例を示すフローチャートである。
【図１１】撮像装置における拡大表示処理の例を示すフローチャートである。
【図１２】撮像装置における自動拡大表示処理の例を示すフローチャートである。
【図１３】撮像装置が備えるモニタに表示される被写体画像の例を示す模式図である。
【図１４】撮像装置が備えるモニタに表示される（ａ）「拡大全面ガイドなし」、（ｂ）「背景重ね」、（ｃ）「拡大全面表示ガイドあり」、の例を示す模式図である。
【図１５】撮像装置が備えるモニタに表示される（ａ）被写体画像、（ｂ）「ポートレート拡大」、の例を示す模式図である。
【図１６】撮像装置が備えるモニタに表示される（ａ）被写体画像、（ｂ）「集合写真拡大」、の例を示す模式図である。
【発明を実施するための形態】
【００２１】
以下、本発明に係る撮像装置の実施の形態について図面を参照しながら説明する。図１乃至図３は、本発明に係る撮像装置の例であるデジタルカメラの外観構成の例であって、図１は正面図、図２は上面図、図３は背面図である。図１において、撮像装置１の筐体であるカメラボディＣＢの正面には、ストロボ発光部３、ファインダ４の対物面、リモコン受光部６および撮像レンズを含む撮像光学系を構成する鏡胴ユニット７が配置されている。カメラボディＣＢの一方の側面部には、メモリカード装填室および電池装填室の蓋２が設けられている。図２において、カメラボディＣＢの上面には、レリーズスイッチＳＷ１、モードダイヤルＳＷ２およびサブ液晶ディスプレイ（サブＬＣＤ）（以下、「液晶ディスプレイ」を「ＬＣＤ」という。）１１が配置されている。
【００２２】
図３において、カメラボディＣＢの背面には、ファインダ４の接眼部、ＡＦ用発光ダイオード（以下、発光ダイオードは「ＬＥＤ」という。）８と、ストロボＬＥＤ９と、撮像光学系によって取得された被写体画像と拡大画像および各種設定画面を表示する表示手段であるＬＣＤモニタ１０と、電源スイッチ１３と、広角方向ズームスイッチＳＷ３と、望遠方向ズームスイッチＳＷ４と、セルフタイマの設定および解除スイッチＳＷ５と、メニュースイッチＳＷ６と、上移動およびストロボセットスイッチＳＷ７と、右移動スイッチＳＷ８と、ディスプレイスイッチＳＷ９と、下移動およびマクロスイッチＳＷ１０と、左移動および画像確認スイッチＳＷ１１と、ＯＫスイッチＳＷ１２と、クイックアクセススイッチＳＷ１３が配置されている。
【００２３】
次に、図４に示す本発明に係る撮像装置の機能ブロックの例について説明する。本発明に係る撮像装置の各種動作（処理）は、デジタル信号処理ＩＣ（集積回路）等として構成されるデジタルスチルカメラプロセッサ１０４（以下、単に「プロセッサ１０４」という。）で動作する本発明に係る撮像プログラムによって制御される。画像処理手段であるプロセッサ１０４は、第１のＣＣＤ（電荷結合素子）信号処理ブロック１０４−１と、第２のＣＣＤ信号処理ブロック１０４−２と、ＣＰＵ（中央処理ユニット）ブロック１０４−３と、ローカルＳＲＡＭ（ＳＲＡＭ：スタティックランダムアクセスメモリ）１０４−４と、ＵＳＢ（ユニバーサルシリアルバス）ブロック１０４−５と、シリアルブロック１０４−６と、ＪＰＥＧコーデック（ＣＯＤＥＣ）ブロック１０４−７と、リサイズ（ＲＥＳＩＺＥ）ブロック１０４−８と、ＴＶ信号表示ブロック１０４−９と、メモリカードコントローラブロック１０４−１０と、を有してなる。これら各ブロックは相互にバスラインで接続されている。
【００２４】
プロセッサ１０４の外部には、ＲＡＷ−ＲＧＢ画像データ、ＹＵＶ画像データおよびＪＰＥＧ画像データを保存するためのＳＤＲＡＭ（シンクロナスランダムアクセスメモリ）１０３、ＲＡＭ１０７、内蔵メモリ１２０および撮像プログラムである制御プログラムが格納されているＲＯＭ１０８が配置されており、これらはバスラインを介してプロセッサ１０４に接続されている。ＲＯＭ１０８に格納されている制御プログラムには、本発明に係る撮像方法を実行するソフトウェアであるプログラムが含まれる。
【００２５】
鏡胴ユニット７は、ズーム（ＺＯＯＭ）レンズ７−１ａを有するズーム光学系７−１と、フォーカス（ＦＯＣＵＳ）レンズ７−２ａとを有するフォーカス光学系７−２と絞り７−３ａとを有する絞りユニット７−３と、メカニカルシャッタ（メカシャッタ）７−４ａを有するメカシャッタユニット７−４と、を備えており、これらによって撮像光学系が構成される。ズーム光学系７−１と，フォーカス光学系７−２と、絞りユニット７−３と、メカシャッタユニット７−４は、それぞれズーム（ＺＯＯＭ）モータ７−１ｂと、フォーカスレンズ移動手段としてのフォーカス（ＦＯＣＵＳ）モータ７−２ｂと、絞りモータ７−３ｂとメカシャッタモータ７−４ｂと、によって駆動される。これらズームモータ７−１ｂ、フォーカスモータ７−２ｂ、絞りモータ７−３ｂおよびメカシャッタモータ７−４ｂの各モータはモータドライバ７−５によって駆動され、モータドライバ７−５はプロセッサ１０４のＣＰＵブロック１０４−３によって動作が制御される。また、本発明に係る撮像装置は、フォーカス（ＦＯＣＵＳ）モータ７−２ｂによらず、鏡胴ユニット７の外周面に配置される図示しないフォーカスリングを手動操作することで、フォーカスレンズ移動手段を機能させることもできる。
【００２６】
鏡胴ユニット７のズームレンズ７−１ａおよびフォーカスレンズ７−２ａは、撮像素子であるＣＣＤ１０１の撮像面上に被写体光学像を結像するための撮像レンズを構成する。撮像素子であるＣＣＤ１０１は、撮像面に結像された被写体光学像を電気的な画像信号に変換してＦ／Ｅ−ＩＣ（フロントエンドＩＣ）１０２に入力する。
【００２７】
Ｆ／Ｅ−ＩＣ１０２は、ＣＤＳ（相関２重サンプリング部）１０２−１、ＡＧＣ（自動利得制御部）１０２−２およびＡ／Ｄ（アナログ−デジタル）変換部１０２−３を有し、被写体光学像から変換された画像信号に対して、所定の処理を施し、デジタル信号に変換する。変換されたデジタル画像信号は、ＣＣＤ信号処理ブロック１０４−１に入力される。これらの信号処理動作は、プロセッサ１０４のＣＣＤ信号処理ブロック１０４−１から出力されるＶＤ信号（垂直駆動信号）とＨＤ信号（水平駆動信号）により、ＴＧ（タイミングジェネレータ）１０２−４を介して制御される。ＣＣＤ信号処理ブロック１０４−１は、ＣＣＤ１０１からＦ／Ｅ−ＩＣ１０２を経由して入力されたデジタル画像データに対して、ホワイトバランス調整およびγ調整等の信号処理を行うとともに、ＶＤ信号およびＨＤ信号を出力する。
【００２８】
プロセッサ１０４のＣＰＵブロック１０４−３は、音声記録回路１１５−１による音声記録動作を制御する。音声記録回路１１５−１は、マイクロホン（マイク）１１５−３で変換されマイクロホンアンプ（マイクＡＭＰ）１１５−２によって増幅した音声信号を、ＣＰＵブロック１０４−３の指令に応じて記録する。
【００２９】
また、ＣＰＵブロック１０４−３は、音声再生回路１１６−１の動作も制御する。音声再生回路１１６−１は、ＣＰＵブロック１０４−３の指令により、適宜なるメモリに記録されている音声信号をオーディオアンプ（オーディオＡＭＰ）１１６−２で増幅してスピーカ１１６−３に入力し、スピーカ１１６−３から音声を再生出力する。
【００３０】
また、ＣＰＵブロック１０４−３は、ストロボ回路１１４を制御して動作させることによってストロボ発光部３から照明光を発光させる。また、ＣＰＵブロック１０４−３は、被写体距離を測定する測距ユニット５の動作も制御する。
【００３１】
さらに、ＣＰＵブロック１０４−３は、プロセッサ１０４の外部に配置されたサブＣＰＵ（ＳＵＢ−ＣＰＵ）１０９にも結合されており、サブＣＰＵ１０９は、ＬＣＤドライバ１１１を介してサブＬＣＤ１による表示を制御する。また、サブＣＰＵ１０９は、ＡＦ用ＬＥＤ８，ストロボＬＥＤ９，リモコン受光部６，スイッチＳＷ１からスイッチＳＷ１３からなる操作部１１２およびブザー１１３にもそれぞれ結合されている。
【００３２】
ＵＳＢブロック１０４−５は、ＵＳＢコネクタ１２２に結合される。シリアルブロック１０４−６は、シリアルドライバ回路１２３−１を介してＲＳ−２３２Ｃコネクタ１２３−２に結合される。
【００３３】
ＴＶ信号表示ブロック１０４−９は、ＬＣＤドライバ１１７を介してＬＣＤモニタ１０に結合され、また、ＴＶ信号表示ブロック１０４−９は、ビデオアンプ（ＡＭＰ）１１８を介してビデオジャック１１９にも結合される。
【００３４】
メモリカードコントローラブロック１０４−１０は、メモリカードスロット１９１のカード接点に結合されている。メモリカードがこのメモリカードスロット１９１に装填されると、メモリカードの接点に接触して電気的に接続され、装填されたメモリカードに画像ファイルを記憶する。
【００３５】
構成を備えた撮像装置１によれば、撮像光学系を介してＣＣＤ１０１の受光面に結像した被写体画像は、プロセッサ１０４が有するＣＣＤ信号処理ブロック１０４−１によって所定の信号処理が行われ、ＴＶ信号表示ブロック１０４−９を介してＬＣＤモニタ１０に出力されて表示される。また、撮像光学系を介してＣＣＤ１０１の受光面に結像した被写体画像は、プロセッサ１０４が有するＣＣＤ信号処理ブロック１０４−１によって所定の信号処理が行われた後に、後述する拡大表示処理によって、拡大条件によって指定されている部分の拡大画像がＣＣＤ信号処理ブロック１０４−２によって生成され、ＴＶ信号表示ブロック１０４−９を介してＬＣＤモニタ１０に出力され、表示される。
【００３６】
次に、本発明に係る撮像装置によって実行される撮像方法の例について、図を用いて説明する。図５は、本実施例に係る撮像方法において実行される拡大設定処理の例を示すフローチャートである。拡大設定処理とは、ＬＣＤモニタ１０に表示された画像の一部から拡大画像を生成するための条件を設定する処理をいう。当該処理は、撮像装置１が備える操作部１１２に対する所定の操作によって実行される。当該処理によって設定される拡大条件に係る情報（以下「拡大情報」という。）は、撮像装置１が備える内蔵メモリ１２０に記憶される。図５において、各処理ステップはＳ１０、Ｓ２０、・・・のように表す。まず、撮像装置１の背面に備わるメニュースイッチＳＷ６が押下されると、ＬＣＤモニタ１０に拡大条件登録画面１１０が表示される（Ｓ１０）。拡大条件登録画面１１０の例を図６に示す。
【００３７】
図６において、拡大条件登録画面１１０は、複数の拡大情報を区別する識別情報となる「登録番号」を指定するためのメニュー１１１と、ＬＣＤモニタ１０に表示される被写体画像において拡大する部分の数を指定するメニュー１１２と、拡大画像の表示方法を設定するメニュー１１３と、を有してなる。また、拡大条件登録画面１１０には、メニュー１１１乃至１１３によって選択された拡大情報を記憶手段である内蔵メモリ１２０に記憶するための処理を指示する位置設定ボタン１１５と、選択された拡大情報の記憶処理を取りやめる指示をするキャンセルボタン１１４と、を有する。メニュー１１１乃至１１３は、上移動スイッチＳＷ７と下移動スイッチＳＷ１０によって、カーソルが移動され、選択された状態でＯＫスイッチＳＷ１２が押下されることで、当該メニューに対する拡大条件を選択することができる。
【００３８】
ここで、拡大条件登録画面１１０にて設定可能な各種のパラメータについて説明する。登録番号（１１１）は、後述する拡大表示処理に用いる拡大情報を、記憶手段に複数記憶するために、各拡大情報を区別するための識別情報である。登録番号（１１１）は、上移動スイッチＳＷ７と下移動スイッチＳＷ１０の操作によって、１番、２番、３番・・・のようにプルダウン形式による選択が可能となっている。
【００３９】
拡大位置数（１１２）は、ＬＣＤモニタ１０に表示された被写体画像の同時に拡大する部分の数を選択するメニューである。例えば図６に示す“３×３”を選択すると、ＬＣＤモニタ１０に表示された画像を縦方向と横方向でそれぞれ３分割し、合計で９個の領域に分割された拡大表示が行われる。拡大位置数（１１２）に指定可能なパラメータは、図６に示す“３×３”の他に、例えば、“１×１”、“１×２”、“１×３”、“２×１”、“２×２”、“２×３”、“３×１”、“３×２”、などがある。
【００４０】
また、本実施例に係る撮像装置１に係る登録番号（１１１）と拡大位置数（１１２）の選択方法は、上記の方法に限ることなく、例えば、図示しないソフトウェアキーボード（テンキー状のもの）をＬＣＤモニタ１０に表示して、上移動スイッチＳＷ７、右移動スイッチＳＷ８、下移動スイッチＳＷ１０、左移動スイッチＳＷ１１、の操作によって、所定の条件を入力する形式でもよい。
【００４１】
拡大表示方法（１１３）は、後述する拡大表示処理において、ＬＣＤモニタ１０に表示させる拡大画像の表示方法を指定する拡大条件である。図６においては「拡大全画面表示、ガイドなし」が選択されている。この他に、例えば「拡大全画面表示、ガイドあり」、「背景重ね表示」などを選択することができる。
【００４２】
符号１１１乃至１１３の拡大条件をそれぞれ選択した後、カーソルを位置設定ボタン１１５に合わせた後、ＯＫスイッチＳＷ１２が押下されると、処理は拡大位置設定処理（Ｓ２０）に移行する。
【００４３】
図５に戻る。次に、拡大位置設定処理（Ｓ２０）について説明する。拡大位置設定処理（Ｓ２０）とは、ＬＣＤ１０に表示された被写体画像の拡大される位置を設定する処理である。拡大位置設定処理（Ｓ２０）の際にＬＣＤ１０に表示される設定画面の例を図７に示す。図７において、拡大位置設定画面１２０は、拡大条件登録画面１１０（図６）で設定された拡大位置数（１１２）が「３×３」である場合を例示している。
【００４４】
図７に示すように拡大位置設定画面１２０は、拡大位置数（１１２）に応じて分割された位置領域１２１と、各位置領域１２１に含まれる被写体画像が拡大表示される位置を指定する元となる位置枠１２２と、位置枠１２２を移動設定中の表示である設定枠１２３と、設定された画像拡大位置を示す拡大位置１２４と、を有してなる。位置領域１２１は、個別に後述する位置情報を設定する単位である「設定領域」を示している。位置領域１２１にて表される設定領域ごとに、画像を拡大する位置を示す個別の位置情報が設定される。なお、位置領域１２１（設定領域）は、表示手段であるＬＣＤモニタ１０の表示領域に対応する。言い換えると、設定領域である位置領域１２１は、ＬＣＤモニタ１０の個別の表示領域に対応するものである。
【００４５】
設定枠１２３は、上移動スイッチＳＷ７、下移動スイッチＳＷ１０、左移動スイッチＳＷ１１、右移動スイッチＳＷ８、を操作することで、位置領域１２１内を上下左右に移動可能である。図７（ａ）は、左上の位置領域１２１に係る位置枠１２２について、設定処理を行っている途中の状態を例示している。よって、左上の位置領域１２１には設定枠１２３が表示されている状態となる。
【００４６】
図５に戻る。ＯＫスイッチＳＷ１２が押下されるまで（Ｓ２０のＮ）、設定枠１２３の移動処理は繰り返し実行される。設定枠１２３を所定の位置に移動させた後に、ＯＫスイッチＳＷ１２が押下されると（Ｓ２０のＹ）、設定枠１２３がある位置が拡大位置１２４として設定される。
【００４７】
次に、すべての位置領域１２１において拡大位置１２４が設定されているか否かを判定し（Ｓ３０）、未登録の位置領域１２１があれば（Ｓ３０のＮ）、処理Ｓ２０から繰り返す。図７（ｃ）に示すように、最後の位置領域１２１（右下の位置領域１２１）において、設定枠１２３の移動操作がされ（Ｓ２０）、所定の位置に移動させた後に、ＯＫスイッチＳＷ１２が押下されると（Ｓ２０のＹ、Ｓ３０のＹ）、拡大条件登録処理（Ｓ４０）に移行する。
【００４８】
拡大条件登録処理（Ｓ４０）は、処理Ｓ１０で設定された登録番号（１１１）を識別情報として、拡大位置数１（１１２）、拡大表示方法（１１３）に係る情報と、処理Ｓ２０で設定された拡大位置１２４に係る位置情報（例えば、ＬＣＤ１０内の２次元座標で特定される情報）とを関連づけて構成される情報（以下、この情報を「拡大条件」という。）を、記憶手段に記憶する処理を行う。拡大条件登録処理（Ｓ４０）においてＬＣＤモニタ１０に表示される登録操作画面の例を図８に示す。図８において、登録画面１３０には、キャンセルボタン１３１と登録ボタン１３２が表示される。右移動スイッチＳＷ８と左移動スイッチＳＷ１１によって、キャンセルボタン１３１にカーソルが合わせられてＯＫスイッチＳＷ１２が押下されると拡大設定処理を終了する。また、登録ボタン１３２にカーソルが合わせられてＯＫスイッチＳＷ１２が押下されると上記の「拡大条件」が記憶手段に記憶される。
【００４９】
次に、後述する撮影処理における拡大表示処理に用いる拡大条件の選択方法について説明する。図９は、拡大表示処理に係る拡大条件を選択する処理においてＬＣＤモニタ１０に表示される拡大条件選択画面１４０の例である。図９において、拡大条件選択画面１４０は、登録番号（１１１）を選択するメニュー１４１と、キャンセルボタン１４２と、決定ボタン１４３と、を有してなる。拡大条件選択画面１４０がＬＣＤモニタ１０に表示された状態で、操作部１１２を操作して決定ボタン１４３を押下する処理を行えば、そのときにメニュー１４１の表示に表示されている登録番号（１１１）に係る拡大条件が、記憶手段から読み出される。
【００５０】
なお、メニュー１４１には、既に設定されている登録番号（１１１）を選択するだけでなく、後述する自動認識モードに係る拡大モードを選択できるように、当該自動認識モードに係る条件の識別情報を表示してもよい。
【００５１】
次に、本発明に係る撮像方法の例について、図１０のフローチャートを用いて説明する。図１０において、各処理ステップはＳ１０１、Ｓ１０２・・のように表記する。本実施例に係る撮像方法は、マニュアルモードに係るものである。よって、撮像装置１の動作電源が投入されて、モードダイヤルＳＷ２によってマニュアルモードが選択された状態で以下の処理が開始される。
【００５２】
まず、撮像光学系を介して撮像素子の受光面に結像した被写体像から、表示手段であるＬＣＤモニタ１０に表示される被写体画像が生成されて、所定のタイミングで継続的に被写体画像が表示される、いわゆるスルー画表示が行われる（Ｓ１０１）。ここで、拡大表示開始操作がされなければ（Ｓ１０２のＮ）、ＬＣＤモニタ１０の表示は、通常表示処理（Ｓ１０８）に移行する。通常表示処理（Ｓ１０８）は、撮影視野全体の画像をＬＣＤモニタ１０に表示する処理である。
【００５３】
拡大表示開始操作が検知されれば（Ｓ１０２のＹ）、拡大モード判定処理（Ｓ１０３）が実行される。ここで、拡大表示開始操作とは、例えば、メニュースイッチＳＷ６が押下されることをいう。拡大モード判定処理（Ｓ１０３）では、撮像装置１に予め指定されている拡大モードを判定する処理を行う。拡大モードの指定は、図９を用いてすでに説明した操作において、予め記憶されている登録番号が指定されているか否かを判定する処理である。登録番号が指定されていれば（Ｓ１０３のＹ）、指定されている登録番号に関連づけて記憶されている拡大条件が読み出されて、拡大表示処理が実行される（Ｓ１０４）。
【００５４】
ここで、拡大表示処理（Ｓ１０４）について、説明する。図１１は、拡大表示処理（Ｓ１０４）の例を示すフローチャートである。図１１において、各処理ステップは、Ｓ２０１、Ｓ２０２・・のように表記する。先に行われている拡大条件選択（図８参照）によって、選択されている登録番号（１１１）に基づく拡大条件が記憶手段から読み出される（Ｓ２０１）。次に、読み出されて拡大条件に係る拡大表示方法（１１３）の種類を判定する表示方法判定処理（Ｓ２０２）が行われる。拡大表示方法（１１３）が、「拡大全面表示ガイドなし」であれば、処理Ｓ２０３が実行される。拡大表示方法が「背景重ね」であれば、処理Ｓ２０４が実行される。拡大表示方法が「拡大全面表示ガイドあり」であれば、処理Ｓ２０４が実行される。
【００５５】
処理Ｓ２０３が実行されたときのＬＣＤモニタ１０における被写体画像の表示の例について、図を用いて説明する。図１３は、スルー画の表示例を示している。図１３において、ＬＣＤモニタ１０に表示されている被写体画像１５０には、予め拡大条件選択画面（図９を参照）において選択された登録番号（１１１）に係る拡大位置１２４が重ね表示されている。
【００５６】
この拡大位置１２４に該当する位置の被写体画像１５０が拡大された画像の例を図１４に示す。図１４（ａ）において、拡大画像１６０ａは、「拡大全面ガイドなし表示」に係る拡大画像の例である。
【００５７】
また、処理Ｓ２０４が実行されたときの表示例を図１４（ｂ）に示す。図１４（ｂ）において、拡大画像表示１６０ｂは、拡大位置１２４に該当する位置の被写体画像１５０が拡大表示された画像を、通常表示の被写体画像１５０に重ねた画像が表示されている。すなわち、被写体画像を拡大画像が同時に表示され、被写体画像が視認可能になる態様で拡大画像が重ねあわされて表示されている。
【００５８】
また、処理Ｓ２０５が実行されたときの表示例を図１４（ｃ）に示す。図１４（ｃ）は、撮影視野全体の画像である被写体画像１５０に対して拡大位置１２４が設定されている位置を示すガイド表示となるレイアウト情報１６０ｃが、拡大画像表示１６０ａに重ねられた画像が表示されている。
【００５９】
ここで、図１４（ａ）から（ｃ）には、各拡大画像の境界を示す線が図示されているが、この線は説明の便宜上、図示してあり、本発明の実施において必須ではない（以下、同じ）。
【００６０】
なお、図１３に示した被写体画像１５０に拡大位置１２４を重ね合わせた表示は、拡大表示開始操作が実行されたときに（Ｓ１０２のＹ）に、ＬＣＤモニタ１０に表示されてもよい。また、本実施例では、３通りの表示方法が選択できるものとしたが、他の表示方法が選択できるようにしても良い。
【００６１】
拡大表示処理（Ｓ１０４）は、拡大表示終了操作が行われるまで繰り返される（Ｓ１０５のＮ）。拡大表示終了操作とは、例えば、拡大表示処理（Ｓ１０４）が実行されているときに、メニュースイッチＳＷ６が押下されることをいう。拡大表示終了操作が検知されれば（Ｓ１０５のＹ）、通常表示処理（Ｓ１０８）が行われる。通常表示処理（Ｓ１０８）では、被写体画像１５０のみがＬＣＤモニタ１０に表示される。
【００６２】
次に、拡大表示開始操作が検知され（Ｓ１０２のＹ）、拡大モード判定処理（Ｓ１０３）において、登録番号が指定されておらず、自動認識モードに係る拡大モードが指定されているとき（Ｓ１０３のＮ）に実行される自動認識拡大処理（Ｓ１０６）について説明する。
【００６３】
図１２は、自動認識拡大処理（Ｓ１０６）の例を示すフローチャートである。図１２において、各処理ステップは、Ｓ３０１、Ｓ３０２・・のように表記されている。先に行われている拡大条件選択（図８参照）によって、選択されている登録番号（１１１）に基づく自動認識モードに係る画像解析処理が行われる（Ｓ３０１）。
【００６４】
画像解析処理（Ｓ３０１）は、スルー画として表示されている被写体画像１５０（図１２参照）に対して所定の解析処理を行う。解析処理は、例えば、公知の手法を用いた被写体画像１５０に含まれている人物像の位置の特定や、被写体画像に含まれている人物像の目や鼻など特徴ある部分の位置を特定する処理である。
【００６５】
次に自動拡大表示方法判定処理（Ｓ３０２）が行われる。自動拡大表示方法判定処理（Ｓ３０２）は、拡大条件選択画面１４０（図９）のメニュー１４１において設定された自動拡大表示方法を判定する処理である。自動拡大表示方法において、例えば、「ポートレート拡大表示」と「集合写真拡大表示」のいずれかのみが選択され得る場合、「ポートレート拡大表示」が選択されていると判定されれば（Ｓ３０２のＹ）、画像解析処理（Ｓ３０１）における被写体画像の解析結果に応じて、被写体画像に含まれている人物像の特定の部分を拡大する画像を生成し、ＬＣＤ表示部１０に表示する。特定の部分とは、例えば、人物の両目である。
【００６６】
ここで画像解析処理（Ｓ３０１）は、例えば、特定の画像領域を識別するための画像パターン情報（以下「パターン情報」という）に基づいて、被写体画像内にパターン情報に合致する画像領域を識別する処理をいう。画像解析処理（Ｓ３０１）において、識別された画像領域の画像に基づいて、拡大画像生成手段によって拡大画像が生成される。
【００６７】
「ポートレート拡大表示」に係る拡大画像の表示例を図１５に示す。スルー画として、図１５（ａ）に示す被写体画像１７０ａがＬＣＤモニタ１０に表示されているとする。被写体画像１７０ａは、人物が一人だけ大きく写っている画像（ポートレート画像）であるから、被写体画像１７０ａに含まれる人物の両目部分のみが拡大された画像１７０ｂがＬＣＤモニタ１０に表示される。このように、ポートレート拡大表示処理（Ｓ３０３）は、被写体画像１７０ａに含まれる特徴部分の位置を画像解析処理（Ｓ３０１）によって特定された特徴部分を拡大し、表示する処理である。画像解析処理（Ｓ３０１）において特定された特徴部分が、被写体画像１７０ａに含まれる人物の鼻部分であれば、図示しない拡大画像は、鼻部分が拡大された被写体画像となる。
【００６８】
次に自動拡大表示方法判定処理（Ｓ３０２）において、「集合写真拡大表示」が選択されていると判定されれば（Ｓ３０２のＮ）、画像解析処理（Ｓ３０１）における被写体画像の解析結果に応じて、被写体画像に含まれている人物の顔部分が拡大された画像が生成されて、ＬＣＤ表示部１０に表示される。
【００６９】
「集合写真拡大表示」に係る拡大画像の表示例を図１６に示す。スルー画として、図１６（ａ）に示す被写体画像１８０ａがＬＣＤモニタ１０に表示されているとする。被写体画像１８０ａは、複数の人物が写っている画像（集合写真の画像）であるから、被写体画像１８０ａに含まれるすべての人物の顔部分が拡大された画像１８０ｂが生成されて、ＬＣＤモニタ１０に表示される（図１６（ｂ）参照）。このように、集合写真拡大表示処理（Ｓ３０４）は、画像解析処理（Ｓ３０１）によって特定された特徴部分である、被写体画像１８０ａに含まれる「人物の顔」の位置を拡大し、表示する処理である。画像解析処理（Ｓ３０２）において特定された特徴部分が、被写体画像１８０ａに含まれる特定の人物の顔部分であれば、図示しない拡大画像は、当該人物の顔を拡大された被写体画像となる。
【００７０】
の自動認識拡大処理（Ｓ１０６）は、拡大表示終了操作が行われるまで繰り返される（Ｓ１０７のＮ）。拡大表示終了操作とは、例えば、自動認識拡大処理（Ｓ１０６）が実行されているときに、メニュースイッチＳＷ６が押下されることをいう。拡大表示終了操作が検知されれば（Ｓ１０７のＹ）、通常表示処理（Ｓ１０８）が行われる。通常表示処理（Ｓ１０８）では、被写体画像１５０のみがＬＣＤモニタ１０に表示される。
【００７１】
このように、本実施例に係る撮像装置によれば、予め設定した拡大位置１４０に応じて、被写体画像に含まれる複数の画像領域を拡大した画像（拡大画像）を同時に表示することができる。また、自動認識モードが選択されていれば、当該モードに応じて被写体画像の画像解析結果に基づく拡大画像を表示することができる。
【００７２】
以上のように、本発明に係る撮像装置によれば、被写体画像の一部分を拡大する画像を同時に複数表示することができるので、手動でフォーカス処理を行うときに、撮影視野全体の画像の中で、合焦をしたい部分の拡大表示を視認しながら、フォーカス処理を行うことができるようになる。また、合焦をしたい部分を複数個所同時に確認することもできるので、マニュアルモードによる撮影であってもシャッターチャンスを逃すことなく撮像操作を行うことができるようになる。
【産業上の利用可能性】
【００７３】
本発明に係る撮像装置および撮像方法は、デジタルカメラをはじめとして、携帯電話に組み込まれたカメラ、その他の各種カメラにも適用可能である。
【符号の説明】
【００７４】
１０  ＬＣＤモニタ
【先行技術文献】
【特許文献】
【００７５】
【特許文献１】特許第４１４１８００号公報
【特許文献２】特開２００３−１８９１３６号公報
【図１】
2012186670.tif 000003
【図２】
2012186670.tif 000004
【図３】
2012186670.tif 000005
【図４】
2012186670.tif 000006
【図５】
2012186670.tif 000007
【図６】
2012186670.tif 000008
【図７】
2012186670.tif 000009
【図８】
2012186670.tif 000010
【図９】
2012186670.tif 000011
【図１０】
2012186670.tif 000012
【図１１】
2012186670.tif 000013
【図１２】
2012186670.tif 000014
【図１３】
2012186670.tif 000015
【図１４】
2012186670.tif 000016
【図１５】
2012186670.tif 000017
【図１６】
2012186670.tif 000018